(57)【要約】【課題】  情報処理装置の異常原因解析等にモニタ情報が利用できない可能性がある。【解決手段】  出力制御装置は制御部と検出部を備える。制御部は、情報処理装置から入力したモニタ情報を情報メモリへ蓄積し、書き込み禁止信号を入力するとモニタ情報の情報メモリへの蓄積を終了し、その後再生信号を入力すると情報メモリに蓄積されたモニタ情報の順次出力をする。検出部は、情報処理装置の異常を検出して書き込み禁止信号を制御部に出力する。【選択図】      図２
2010061209.tif 000002
【特許請求の範囲】
【請求項１】
情報処理装置から入力したモニタ情報を情報メモリへ蓄積し、書き込み禁止信号を入力すると前記モニタ情報の前記情報メモリへの蓄積を終了し、その後再生信号を入力すると前記情報メモリに蓄積された前記モニタ情報の順次出力をする制御部と、
前記情報処理装置の異常を検出して前記書き込み禁止信号を前記制御部に出力する検出部と、を備える出力制御装置。
【請求項２】
前記検出部は、入力装置からリセットコマンドを入力した操作部からリセット信号を入力するまで、前記書き込み禁止信号を出力し続け、
前記制御部は、前記書き込み禁止信号を受信しなくなると前記蓄積を開始する請求項１の出力制御装置。
【請求項３】
前記検出部は、一定時間前記書き込み禁止信号を出力し続け、
前記制御部は、前記書き込み禁止信号を受信しなくなると前記蓄積を開始する請求項１の出力制御装置。
【請求項４】
前記検出部は、開始パタンと終了パタンを格納する検出メモリを備え、前記情報処理装置から入力した前記モニタ情報を監視して、前記開始パタン検出後に前記終了パタンを検出することで前記異常を検出する請求項１乃至３の何れかの出力制御装置。
【請求項５】
前記モニタ情報はコンソール画面情報であり、
前記制御部は、前記再生信号を入力して前記情報メモリに蓄積された前記モニタ情報のコンソール装置への順次出力をし、前記順次出力中にホールド信号を入力すると前記順次出力を中断して前記コンソール装置の画面を停止させ、ホールド信号を入力しなくなると前記順次出力を再開する請求項１乃至４の何れかの出力制御装置。
【請求項６】
前記制御部は、前記書き込み禁止信号を入力すると、警告灯を点灯する請求項１乃至５の何れかの出力制御装置。
【請求項７】
請求項１乃至６のずれかの出力制御装置と前記情報処理装置を包含する出力制御システム。
【請求項８】
コンピュータに、
情報処理装置から入力したモニタ情報を情報メモリへ蓄積し、前記情報処理装置の異常を検出すると前記情報メモリへの蓄積を終了し、その後再生コマンドを入力すると前記情報メモリに蓄積された前記モニタ情報の順次出力をする処理を実行させる出力制御プログラム。
【請求項９】
前記コンピュータに、
前記異常を検出後、入力装置からリセットコマンドを入力するまで前記蓄積を行わず、
前記リセットコマンドを入力すると前記蓄積を開始する処理を実行させる請求項８の出力制御プログラム。
【請求項１０】
前記コンピュータに、
前記異常を検出後、一定時間、前記蓄積を行わず、
前記一定時間経過後、前記蓄積を開始する処理を実行させる請求項８の出力制御プログラム。
【請求項１１】
開始パタンと終了パタンを格納する主記憶装置を備える前記コンピュータに、
前記情報処理装置から入力した前記モニタ情報を監視して、前記開始パタン検出後に前記終了パタンを検出することで前記異常を検出する処理を実行させる請求項８乃至１０の何れかの出力制御プログラム。
【請求項１２】
情報処理装置から入力したモニタ情報を情報メモリへ蓄積し、書き込み禁止信号を入力すると前記モニタ情報の前記情報メモリへの蓄積を終了し、その後再生信号を入力すると前記情報メモリに蓄積された前記モニタ情報の順次出力をする制御工程と、
前記情報処理装置の異常を検出して前記書き込み禁止信号を出力する検出工程と、を有する出力制御方法。
【請求項１３】
入力装置からリセットコマンドを入力した操作部からリセット信号を入力するまで、前記書き込み禁止信号を出力し続ける前記検出工程と、
前記書き込み禁止信号を受信しなくなると前記蓄積を開始する前記制御工程を有する、請求項１２の出力制御方法。
【請求項１４】
一定時間前記書き込み禁止信号を出力し続ける前記検出工程と、
前記書き込み禁止信号を受信しなくなると前記蓄積を開始する前記制御工程を有する請求項１２の出力制御方法。
【請求項１５】
前記情報処理装置から入力した前記モニタ情報を監視して、検出メモリに格納されている開始パタン検出後に終了パタンを検出することで前記異常を検出する前記検出工程を有する請求項１２乃至１４の何れかの出力制御方法。
【発明の詳細な説明】
【技術分野】
【０００１】
本発明は出力制御装置、出力制御プログラム、および、出力制御方法に関する。
【背景技術】
【０００２】
特許文献１には、複数のサーバの画面情報を一旦バッファに取り込んで、切り替えてコンソールに表示するコンソール切り替え装置が開示されている。この装置は、あるサーバの画面情報に特定文字列が検出されると、コンソールが別画面を表示している場合でも、当該特定文字列が検出された画面に切り替えて表示する。
【０００３】
特許文献２には、コンピュータシステムから入力したシステム情報をリングバッファに貯蔵するモニタ装置が開示されている。この装置は、入力部からモニタ要求を入力されると、リングバッファへの蓄積を抑止すると共に既に蓄積されているシステム情報をディスプレイ部に表示する。
【０００４】
特許文献３には、ＣＰＵ（Central Processing Unit）が端末に発行する入出力命令を端末の不揮発性の二次記憶装置に保持する計算機システムが開示されている。このシステムは、障害発生時に、二次記憶装置に保持された入出力命令をもとに端末の画面イメージを再現する。
【０００５】
特許文献４には、試験プログラムが出力する表示情報を記憶装置に格納し、検索するシステムが開示されている。
【０００６】
特許文献５には、キー入力により表示画面を固定するオシロスコープが開示されている。
【０００７】
【特許文献１】特開２００７−１４８７１２号公報
【特許文献２】特開平１０−６３５３５号公報
【特許文献３】特開平１０−２６０８５２号公報
【特許文献４】特開平１１−２５９３２７号公報
【特許文献５】特開平５−１２６８５６号公報
【発明の開示】
【発明が解決しようとする課題】
【０００８】
上述の特許文献に開示されている技術は、何れも、情報処理装置のモニタ情報を蓄積し、情報処理装置の異常を検出すると蓄積を中止して、その後要求を受けて蓄積内容を出力するものではない。従って、情報処理装置の異常原因解析等にモニタ情報が利用できない可能性があるという課題があった。
【０００９】
例えば、特許文献１の装置では、サーバの運転が継続していればバッファ内の情報が上書きされて失われる可能性がある。特許文献２のシステムでは、システム情報をディスプレイ部に表示する時点でしかリングバッファへの蓄積を抑止することが出来ず、やはり異常発生時のシステム情報が失われる可能性がある。
【００１０】
本発明の目的は、上記課題を解決する、出力制御装置、出力制御プログラム、および、出力制御方法を提供することにある。
【課題を解決するための手段】
【００１１】
本発明の一実施形態の出力制御装置は、情報処理装置から入力したモニタ情報を情報メモリへ蓄積し、書き込み禁止信号を入力すると前記モニタ情報の前記情報メモリへの蓄積を終了し、その後再生信号を入力すると前記情報メモリに蓄積された前記モニタ情報の順次出力をする制御部と、前記情報処理装置の異常を検出して前記書き込み禁止信号を前記制御部に出力する検出部と、を備える。
【００１２】
本発明の一実施形態の出力制御プログラムは、コンピュータに、情報処理装置から入力したモニタ情報を情報メモリへ蓄積し、前記情報処理装置の異常を検出すると前記情報メモリへの蓄積を終了し、その後再生コマンドを入力すると前記情報メモリに蓄積された前記モニタ情報の順次出力をする処理を実行させる。
【００１３】
本発明の一実施形態の出力制御方法は、情報処理装置から入力したモニタ情報を情報メモリへ蓄積し、書き込み禁止信号を入力すると前記モニタ情報の前記情報メモリへの蓄積を終了し、その後再生信号を入力すると前記情報メモリに蓄積された前記モニタ情報の順次出力をする制御工程と、前記情報処理装置の異常を検出して前記書き込み禁止信号を出力する検出工程と、を有する。
【発明の効果】
【００１４】
本発明は、情報処理装置の異常原因解析等の時に、モニタ情報を利用することを可能にする。
【発明を実施するための最良の形態】
【００１５】
図１は、本発明の第１の実施形態にかかる出力制御システム１０の構成を示す。出力制御システム１０は、入力装置１２、コンソール装置１３を備える出力制御装置２０と、出力制御装置２０に接続される情報処理装置１１を含む。
【００１６】
情報処理装置１１は、例えば、運転端末、ユーザ端末、ＯＳ（Operating System）、ＡＰ（Application Program）（図示せず）を備え、在庫管理などの業務処理を実行する。情報処理装置１１は、この業務処理の実行過程でモニタ情報を出力制御装置２０に出力する。モニタ情報は、例えば、運用端末等に出力する為の画面情報である。モニタ情報は、ユーザ端末に出力する為の種々のイベント情報であっても良い。
【００１７】
出力制御装置２０は、通常、モニタ情報を入力して、内部に蓄積すると共にコンソール装置１３に表示する。出力制御装置２０は、同時にモニタ情報を監視して、情報処理装置１１の異常を検出すると、モニタ情報の内部蓄積を終了する。
【００１８】
その後、出力制御装置２０は、入力装置１２から再生コマンドを入力すると、内部蓄積してあったモニタ情報をコンソール装置１３に表示する。出力制御装置２０は、入力装置１２からリセットコマンドを入力すると、蓄積を開始する。
【００１９】
出力制御装置２０は、情報処理装置１１の異常検出後、入力装置１２からリセットコマンドを入力するまで、新たに入力されたモニタ情報の蓄積を行わない。
【００２０】
モニタ情報が運用端末等に出力する為の画面情報である場合、出力制御装置２０は、ＯＳが出力するパニックメッセージの内容や識別子のビットパタン等がモニタ情報に含まれるかを監視することで、異常を検出しても良い。モニタ情報が、イベント情報である場合、出力制御装置２０は、特定のエラーイベントコード等がモニタ情報に含まれるかを監視することで、異常を検出しても良い。
【００２１】
以上説明したように、出力制御システム１０は、例えば、情報処理装置１１のＯＳがパニックを発生しパニックメッセージ等を運用端末画面に出力した場合に、当該メッセージ等を出力制御装置２０に蓄積する。この蓄積された情報は、入力装置１２からリセットコマンドが入力されるまで、上書きされることなく保持されている。
【００２２】
従って、情報処理装置１１のリセット／再立ち上げ等により、パニックメッセージが運用端末やコンソール装置１３等の画面上から消去されても、蓄積されたモニタ情報をパニック原因の解析に利用することが出来る。即ち、出力制御システム１０では、情報処理装置１１の再立ち上げ処理、さらには、再立ち上げ後の業務処理と並行して、蓄積されたモニタ情報を利用したパニック原因の解析を実施することが出来る。
【００２３】
なお、出力制御装置２０は、警告灯１４やブザー（図示せず）を備えていても良い。この場合、出力制御装置２０は、情報処理装置１１の異常を検出して、警告灯１４を点灯したり、ブザーを鳴動させたりしても良い。
【００２４】
図２は、出力制御装置２０の構成を示す。出力制御装置２０は、操作部２１、制御部３０、検出部５０を備える。
【００２５】
操作部２１は、入力装置１２からリセットコマンドを入力すると一定時間リセット信号を出力する（ＯＮにする）。操作部２１は、入力装置１２から再生コマンドを入力すると再生信号を出力し、再生終了コマンドを入力すると再生信号の出力を止める（ＯＦＦにする）。操作部２１は、入力装置１２からホールドコマンドを入力するとホールド信号を出力し、ホールド終了コマンドを入力するとホールド信号の出力を止める。
【００２６】
検出部５０は、情報処理装置１１から入力されるモニタ情報を監視し、異常を検出すると、書き込み禁止信号を出力する。検出部５０は、操作部２１からリセット信号を入力すると、書き込み禁止信号の出力を止める。検出部５０は、操作部２１からリセット信号を入力までは、書き込み禁止信号の出力を維持する。
【００２７】
制御部３０は、セレクタ３１、スイッチ３２と保持部４０を備える。セレクタ３１は、再生信号に基づいて、情報処理装置１１から入力したモニタ情報または保持部４０の出力情報の何れかを選択して、コンソール装置１３に出力する。セレクタ３１は、再生信号がＯＮの時は出力情報を、ＯＦＦの時はモニタ情報を選択して出力する。
【００２８】
スイッチ３２は、警告灯１４に接続されており、制御部３０入力される書き込み禁止信号がＯＮのときに警告灯１４を点灯し、ＯＦＦのときに消灯する。
【００２９】
保持部４０は、書き込み禁止信号がＯＦＦのときモニタ情報を内部に蓄積し、ＯＮのとき蓄積しない。
【００３０】
保持部４０は、再生信号がＯＮのとき蓄積しているモニタ情報を順次、出力情報として出力し、ＯＦＦのとき出力しない。保持部４０は、上記出力中にホールド信号がＯＮになると出力を一時中断してコンソール装置１３の画面を停止させ、ＯＦＦになると出力を再開して画面に新たな、蓄積されたモニタ情報を出力する。
【００３１】
操作部２１は、書き込み禁止信号がＯＦＦの時は、再生信号をＯＮにしない等の制御を行っても良い。なお、書き込み禁止信号、再生信号、ホールド信号、リセット信号の初期値はＯＦＦである。
【００３２】
図３は、検出部５０の構成を示す。検出部５０は、検出管理部５１と検出メモリ５２を備える。検出メモリ５２は、開始パタン５３と終了パタン５４を格納する。開始パタン５３は、例えば、ＯＳのパニックメッセージ開始を示す文字列である。終了パタン５４は、例えば、ＯＳのパニックメッセージ終了、あるいは、情報処理装置１１の再起動開始を示す文字列である。
【００３３】
図４は、検出管理部５１の動作フローチャートである。同部は、情報処理装置１１から入力されてくるモニタ情報に開始パタン５３が含まれないかを監視する（Ｓ１）。この監視に於いて同部は、例えば、モニタ情報を図示しないバッファに一時保存し、開始パタン５３との比較を行う。
【００３４】
モニタ情報に開始パタン５３が含まれることを検出する（Ｓ２でＹ）まで、同部は監視を継続する。この間、書き込み禁止信号はＯＦＦに維持されている。
【００３５】
開始パタン５３を検出すると（Ｓ２でＹ）、同部は、情報処理装置１１から入力されてくるモニタ情報に終了パタン５４が含まれないかを監視する（Ｓ３）。この監視に於いて同部は、例えば、モニタ情報を図示しないバッファに一時保存し、終了パタン５４との比較を行う。
【００３６】
モニタ情報に終了パタン５４が含まれることを検出する（Ｓ４でＹ）まで、同部は監視を継続する。この間も、書き込み禁止信号はＯＦＦに維持されている。
【００３７】
終了パタン５４を検出すると（Ｓ４でＹ）、同部は書き込み禁止信号をＯＮにする（Ｓ５）。その後、同部はリセット信号がＯＮになる（Ｓ６でＯＮ）のを待ち合わせて、書き込み禁止信号をＯＦＦに戻して（Ｓ７）、初期状態に戻る。
【００３８】
図５は、保持部４０の構成を示す。保持部４０は、保持管理部４１と情報メモリ４２を備える。情報メモリ４２は、循環バッファとしてモニタ情報を蓄積する。情報メモリ４２は、複数のエントリに分割されており、各エントリは０からｎのアドレスを持つ。各エントリは、一単位（例えば、一行または一画面）のモニタ情報を格納する。
【００３９】
図６は、保持管理部４１の動作フローチャートである。先ず、同部は、内部に備えるアドレスレジスタを０に初期化する（Ｓ１１）。
【００４０】
書き込み禁止信号がＯＮになる（Ｓ１２でＯＮ）迄、同部は、情報処理装置１１から入力したモニタ情報をアドレスレジスタが示す情報メモリ４２のエントリに格納し（Ｓ１３）、アドレスレジスタを歩進する（Ｓ１２）。アドレスレジスタの歩進は、アドレスレジスタに１を加算し、その結果がｎを越えれば０に戻すことで行う。
【００４１】
書き込み禁止信号がＯＮになる（Ｓ１２でＯＮ）と、同部は、情報メモリ４２への蓄積を終了して、再生信号がＯＮになる（Ｓ１５でＯＮ）のを待ち合わせる。再生信号がＯＮになる（Ｓ１５でＯＮ）と、同部は再生処理を開始する。
【００４２】
再生処理に於いて、先ず、同部は、アドレスレジスタを歩進する（Ｓ１６）。同部が、蓄積されているモニタ情報を最も古いものから順次出力するためである。同部は、アドレスレジスタが示すエントリに格納されているモニタ情報を出力情報として、セレクタ３１に出力する（Ｓ１７）。
【００４３】
情報メモリ４２に蓄積された全てのモニタ情報出力が完了する（Ｓ１８でＹ）まで、同部はこの出力を継続する（Ｓ１８でＮ、Ｓ１６、Ｓ１７）。この出力中にホールド信号がＯＮになれば（Ｓ１９でＯＮ）、同部は、出力を中断して、ホールド信号がＯＦＦになる（Ｓ１９でＯＦＦ）のを待って、出力を再開（Ｓ１６、Ｓ１７）する。
【００４４】
情報メモリ４２に蓄積された全てのモニタ情報出力が完了する（Ｓ１８でＹ）と、同部は、書き込み禁止信号がＯＦＦになる（Ｓ１ＡでＯＦＦ）のを待ち合わせて、初期化（Ｓ１１）する。
【００４５】
なお、検出部５０は、モニタ情報以外の情報から情報処理装置１１の異常を検出しても良い。例えば、同部は、情報処理装置１１から異常通知信号を入力しても良い。
【００４６】
本発明の出力制御システム１０は、情報処理装置１１の異常原因解析において、ＯＳパニックメッセージなどのモニタ情報を適切な時点で利用することを可能にする。その理由は、出力制御装置２０が異常検出前後の情報処理装置１１のモニタ情報を蓄積し、その後適切な時点で再生コマンドを入力されて出力するからである。
【００４７】
また、同システムは、情報処理装置１１の再起動中または再起動後においてもその情報利用を可能にする。その理由は、出力制御装置２０が、リセットコマンドを入力されるまで、その情報を保持しているからである。
【００４８】
この為、同システムは、再起動などに於いて情報処理装置１１が再度パニックを発生した場合に於いても、最初のパニック発生時のモニタ情報の利用を可能にする。パニックが連続する場合、異常原因の解析などに於いて、最初のパニックに関するモニタ情報が重要であることを考慮すると、この効果は著しい。
【００４９】
本発明の第２の実施形態にかかる出力制御装置２０において、検出部５０は、一定時間以上リセット信号がＯＮにならないと（図４のＳ６を変更）、書き込み禁止信号をＯＦＦにして（同図のＳ７）も良い。この一定時間は、情報処理装置１１の再立ち上げと並行した、または、再立ち上げ後の障害解析に必要な時間を保証するものであることが望ましい。
【００５０】
この形態の出力制御システム１０は、リセットコマンドの投入を忘れることにより、モニタ情報が蓄積されないことを防止できる。
【００５１】
本発明の第３の実施形態にかかる出力制御装置２０は、ソフトウェアで実装される。図７は、本実施形態の出力制御装置２０の構成を示す。なお、本実施形態の説明に於いて、第１の実施形態と同じ要素は、同じ名称、番号で参照される。
【００５２】
本実施形態の出力制御装置２０はコンピュータ６０でもある。コンピュータ６０は、ＣＰＵ６１、主記憶装置６２、バス６３、入力装置１２、コンソール装置１３を備える。コンピュータ６０は、警告灯１４を備えていても良い。
【００５３】
ＣＰＵ６１、主記憶装置６２はバス６３に接続されている。入力装置１２、コンソール装置１３、警告灯１４、および、情報処理装置１１は、図示しないＩ／Ｏコントローラ等を経由してバス６３に接続されている。
【００５４】
主記憶装置６２は、情報メモリ４２、開始パタン５３、終了パタン５４、ポインタ４３、出力制御プログラム６９を格納する。本実施形態の出力制御装置２０は、ＣＰＵ６１が出力制御プログラム６９を実行することで機能する。
【００５５】
図８は、出力制御プログラム６９を実行するＣＰＵ６１の動作フローチャートである。ＣＰＵ６１はポインタ４３を０に初期化する（Ｓ２１）。ＣＰＵ６１は、情報処理装置１１からモニタ情報を入力して（Ｓ２２）、入力したモニタ情報に開始パタン５３が含まれるかを監視する（Ｓ２３）。
【００５６】
ＣＰＵ６１は、モニタ情報に開始パタン５３が含まれることを検出する（Ｓ２３でＹ）まで蓄積処理を実施する（Ｓ２４）。蓄積処理は、入力したモニタ情報をポインタ４３が示す情報メモリ４２のエントリに格納し、ポインタ４３を歩進し、入力したモニタ情報をコンソール装置１３に出力することを意味する。
【００５７】
モニタ情報に開始パタン５３が含まれることを検出すると（Ｓ２３でＹ）、ＣＰＵ６１は情報処理装置１１からモニタ情報を入力して（Ｓ２５）、入力したモニタ情報に終了パタン５４が含まれるかを監視する（Ｓ２６）。
【００５８】
ＣＰＵ６１は、モニタ情報に終了パタン５４が含まれることを検出する（Ｓ２６でＹ）まで上記の蓄積処理を実施する（Ｓ２７）。
【００５９】
モニタ情報に終了パタン５４が含まれることを検出すると（Ｓ２６でＹ）、ＣＰＵ６１は警告灯１４を点灯して（Ｓ２８）、入力装置１２から再現コマンドが入力されるのを待ち合わせる（Ｓ２９でＮ）。
【００６０】
再現コマンドが入力されると（Ｓ２９でＹ）、ＣＰＵ６１はポインタ４３を歩進して（Ｓ２Ａ）、ポインタ４３が示す情報メモリ４２のエントリからモニタ情報を読み出してコンソール装置１３に出力する（Ｓ２Ｂ）。
【００６１】
情報メモリ４２に蓄積された全てのモニタ情報出力が完了する（Ｓ２ＣでＹ）まで、ＣＰＵ６１はこの出力を継続する（Ｓ２ＣでＮ、Ｓ２Ａ、Ｓ２Ｂ）。この出力中に入力装置１２からホールドコマンドが入力されれば（Ｓ２ＤでＹ）出力を中断し、ホールド終了コマンドの入力（Ｓ２ＥでＹ）を待って、出力を再開（Ｓ２Ａ、Ｓ２Ｂ）する。
【００６２】
情報メモリ４２に蓄積された全てのモニタ情報出力が完了すると（Ｓ２ＣでＹ）、ＣＰＵ６１は、入力装置１２からリセットコマンドが入力される（Ｓ２ＦでＹ）のを待ち合わせて、警告灯１４を消灯して（Ｓ２Ｇ）、初期状態（Ｓ２１）に戻る。
【００６３】
本実施形態の出力制御装置２０は安価に実装出来る。その理由は、汎用のコンピュータ６０（パソコンなど）と出力制御プログラム６９で実装できるからである。
【００６４】
なお、本実施形態において、出力制御装置２０は、一定時間以上リセットコマンドが入力されないと（Ｓ２Ｆを変更）、警告灯１４を消灯して（Ｓ２Ｇ）、初期状態（Ｓ２１）に戻っても良い。
【００６５】
図９は、本発明の基本的な構成を示す。出力制御装置２０は制御部３０と検出部５０を備える。制御部３０は、情報処理装置１１から入力したモニタ情報を情報メモリ４２へ蓄積し、書き込み禁止信号を入力するとモニタ情報の情報メモリ４２への蓄積を終了し、その後再生信号を入力すると情報メモリ４２に蓄積されたモニタ情報の順次出力をする。検出部５０は、情報処理装置１１の異常を検出して書き込み禁止信号を制御部３０に出力する。
【図面の簡単な説明】
【００６６】
【図１】図１は、本発明の第１の実施形態にかかる出力制御システム１０の構成を示す。
【図２】図２は、出力制御装置２０の構成を示す。
【図３】図３は、検出部５０の構成を示す。
【図４】図４は、検出管理部５１の動作フローチャートである。
【図５】図５は、保持部４０の構成を示す。
【図６】図６は、保持管理部４１の動作フローチャートである。
【図７】図７は、本実施形態の出力制御装置２０の構成を示す。
【図８】図８は、出力制御プログラム６９を実行するＣＰＵ６１の動作フローチャートである。
【図９】図９は、本発明の基本的な構成を示す。
【符号の説明】
【００６７】
１０    出力制御システム
１１    情報処理装置
１２    入力装置
１３    コンソール装置
１４    警告灯
２０    出力制御装置
２１    操作部
３０    制御部
３１    セレクタ
３２    スイッチ
４０    保持部
４１    保持管理部
４２    情報メモリ
４３    ポインタ
５０    検出部
５１    検出管理部
５２    検出メモリ
５３    開始パタン
５４    終了パタン
６０    コンピュータ
６１    ＣＰＵ
６２    主記憶装置
６３    バス
６９    出力制御プログラム
【図１】
2010061209.tif 000003
【図２】
2010061209.tif 000004
【図３】
2010061209.tif 000005
【図４】
2010061209.tif 000006
【図５】
2010061209.tif 000007
【図６】
2010061209.tif 000008
【図７】
2010061209.tif 000009
【図８】
2010061209.tif 000010
【図９】
2010061209.tif 000011